(57)【要約】【課題】  設定値を不正に変更するゴト行為を防止する。【解決手段】  スロットマシンの内部に設けられた設定選択操作部３５には、設定値を表示する設定値表示器３９が着脱自在に装着される表示器装着穴４０が設けられている。設定値表示器３９は、パネル状の表示器本体３９ａと表示器本体３９ａの後面から突出した装着部３９ｂとから構成される。装着部３９ｂは表示器装着穴４０に差し込まれる。装着部３９ｂの先端側には端子部３９ｄが設けられ、端子部３９ｄは、表示器装着穴４０の内部に設けられた端子部と接続され、設定値表示器３９とスロットマシンが電気的に接続される。設定値表示器３９は、スロットマシンの設定値を変更する場合に取付けられ、遊技が行われる際には取り外されるので、不正行為者が有利な設定値を選択しようとしても、設定値を確認することができない。【選択図】        図３
2006191998.tif 000002
【特許請求の範囲】
【請求項１】
当りの当選確率が互いに異なる複数の抽選テーブルの中から一つを選択する選択操作によって抽選テーブルを設定するとともに、設定した抽選テーブルに対応した設定値信号を出力する設定手段を備え、この設定手段で設定された抽選テーブルを用いて遊技が実行される遊技機において、
前記設定値信号を受け、その設定値信号に対応した設定値を表示する設定値表示器が着脱自在に装着される表示器装着手段を備えたことを特徴とする遊技機。
【請求項２】
前記表示器装着手段は前記設定値表示器が装着されたことを検知する検知手段を備え、前記設定手段は、前記検知手段により前記設定値表示器の装着が検知されたときに前記選択操作を許容し、前記設定値表示器の装着が検出されないときには前記選択操作を禁止することを特徴とする請求項１記載の遊技機。
【請求項３】
前記設定手段には、前記設定値表示器の装着が検知されずに前記選択操作が行われたときにエラー信号を出力するエラー信号出力手段が設けられ、
前記エラー信号を受けて、エラーの発生を報知する報知手段を備えたことを特徴とする請求項１又は２記載の遊技機。
【請求項４】
当りの当選確率が互いに異なる複数の抽選テーブルの中から一つを選択する選択操作によって設定した抽選テーブルに対応する設定値信号を出力するとともに設定した抽選テーブルを用いて遊技が実行される遊技機に着脱自在に装着される装着部と、前記遊技機への装着時に前記設定値信号を受けて対応する設定値を表示する表示部とを備えたことを特徴とする遊技機の設定値表示器。
【発明の詳細な説明】
【技術分野】
【０００１】
本発明は、複数の設定値から１つの設定値を選択することにより当りの当選確率が異なる抽選テーブルの選択が可能な遊技機及びこの遊技機に使用する設定値表示器に関する。
【背景技術】
【０００２】
パチンコ店などの遊技場に設置して使用されるスロットマシンはパチスロ機と称され、その遊技媒体とされるメダルに一定の価値が与えられて、遊技を行って獲得したメダルを種々の景品に交換することができる。パチスロ機では、当りの当選確率が異なる複数種類の抽選テーブルから１つの抽選テーブルが選択され、選択された抽選テーブルを用いて遊技が実行される。当りが抽選されると、例えば、獲得できるメダル枚数が多いボーナス遊技を行うことができる。したがって、抽選テーブルが変更されると、遊技に使用されるメダルの枚数に対し、遊技を行って獲得できるメダルの枚数の平均的な割合を表すペイアウト率が変化し、遊技者に利益が付与される確率が変わる。
【０００３】
当りの当選確率は、例えば、最低値から最高値までが６段階に分けられており、各当選確率は１〜６の６通りの設定値に割り当てられている。当りの当選確率を変更するためには、各当選確率と１対１に対応した設定値を変更することになる。なお、設定値が高いほど当選確率が高く、設定値が低いほど当選確率が低くされている（例えば、特許文献１参照）。
【０００４】
設定値を選択するためには、パチスロ機の前面部を構成する前面扉の施錠を解除し、この前面扉を開放した状態で設定値を選択する操作が行われる。前面扉を開放するための鍵は遊技場側で管理され、一般の遊技者が設定値を変更することはできない。遊技場の管理者は、パチスロ機の設定値を１台ごとに入念に決定し、営業上の利益と遊技者の利益のバランスを保つことで、遊技者が公平に遊技を楽しむことができるようにしている。また、遊技者が高い設定値のパチスロ機を推測して遊技を行う楽しみもあり、遊技の興趣を盛り上げる点でも設定値は重要なものとなっている。
【特許文献１】特開２００４−１３５８４４号公報
【発明の開示】
【発明が解決しようとする課題】
【０００５】
しかしながら、パチスロ機では、例えば上述した前面扉の施錠を解除する鍵を複製し、複製した鍵で扉を開放することによって不正に設定値を選択する、いわゆる、ゴト行為が行われることが問題となっている。ゴト行為は年々悪質さを増しており、遊技場の利益の損失は大きくなる一方で、遊技を公平に行うことができなくなることへの遊技者の不満が高まっていた。
【０００６】
本発明は、不正に設定値を選択するゴト行為を防止することができる遊技機及びこの遊技機に用いる設定値表示器を提供することを目的とする。
【課題を解決するための手段】
【０００７】
上記目的を達成するために、本発明の遊技機は、当りの当選確率が互いに異なる複数の抽選テーブルの中から一つを選択する選択操作によって抽選テーブルを設定するとともに、設定した抽選テーブルに対応した設定値信号を出力する設定手段を備え、この設定手段で設定された抽選テーブルを用いて遊技が実行される遊技機において、前記設定値信号を受け、その設定値信号に対応した設定値を表示する設定値表示器が着脱自在に装着される表示器装着手段を備えたことを特徴とする。
【０００８】
また、前記表示器装着手段は前記設定値表示器が装着されたことを検知する検知手段を備え、前記設定手段は、前記検知手段により前記設定値表示器の装着が検知されたときに抽選テーブルの選択操作を許容し、前記設定値表示器の装着が検出されないときには前記選択操作を禁止することを特徴とする。
【０００９】
前記設定手段には、前記設定値表示器の装着が検知されずに前記選択操作が行われたときにエラー信号を出力するエラー信号出力手段が設けられ、前記エラー信号を受けて、エラーの発生を報知する報知手段を備えたことを特徴とする。
【００１０】
本発明の遊技機の設定値表示器は、当りの当選確率が互いに異なる複数の抽選テーブルの中から一つを選択する選択操作によって設定した抽選テーブルに対応する設定値信号を出力するとともに設定した抽選テーブルを用いて遊技が実行される遊技機に着脱自在に装着される装着部と、遊技機への装着時に前記設定値信号を受けて対応した設定値を表示する表示パネルとを備えたことを特徴とする。
【発明の効果】
【００１１】
本発明の遊技機によれば、当りの当選確率が互いに異なる複数種類の抽選テーブルから設定した一つの抽選テーブルに対応する設定値を表示する設定値表示器が着脱自在に装着されるから、設定値表示器を外しておくことで、不正行為者が設定値を変更しても選択した設定値を確認することができない。これにより、不正行為者は自分に有利となる設定値を選択することができなくなり、不正に設定値を選択するゴト行為を防止する効果が得られる。さらに、個々の遊技機に設定値表示器を設ける場合に比べ、遊技機の製造コストを低くすることができる。
【００１２】
また、設定値表示器が装着されたことを検知する検知手段を備え、設定値表示器の装着が検知されたときには抽選テーブルの選択操作を許容し、設定値表示器が検知されないときにはこの選択操作を禁止するから、不正行為者が設定値表示器を用いることなく設定値を変更しようとしても、これが不可能となり、ゴト行為を防止する効果をさらに高めることができる。
【００１３】
また、設定値表示器の装着が検知されずに抽選テーブルの選択操作を行うことにより出力されるエラー信号を受けてエラーの発生を報知するから、抽選テーブルの不正な選択操作が行われたことが即座に発見でき、ゴト行為を防止する効果をさらに高めることができる。
【００１４】
本発明の遊技機の設定値表示器によれば、当りの当選確率が異なる複数の抽選テーブルから遊技に用いられる抽選テーブルを設定値によって選択する遊技機に対して着脱自在に装着される装着部と、遊技機からの設定値信号を受けて設定値を表示する表示部とが設けられているから、特別な器具等を用いずに手間をかけることなく設定値表示器の着脱が行え、遊技機の設定値を確認する時に設定値表示器を装着し、設定値の確認が必要ない時には設定値表示器を取り外すことができる。これにより、不正行為者が無断で設定値を選択しないように設定値表示器を取り外しておけば、設定値を確認することはできなくなり、設定値を不正に変更するゴト行為を防止する効果が得られる。
【発明を実施するための最良の形態】
【００１５】
図１に示すように、スロットマシン１０は、収納箱１１と収納箱１１の前面に回動自在に取付けられた前面扉１２とからなる筐体１３を備えている。前面扉１２は上部に設けられた上部扉１２ａと下部に設けられた下部扉１２ｂとからなる。上部扉１２ａには透明な表示窓１４が設けられている。表示窓１４の奥には第１リール１５ａ、第２リール１５ｂ、第３リール１５ｃを有するリールユニットが設けられている。第１リール１５ａ〜第３リール１５ｃの外周面には複数種類の図柄が配列されており、リールが停止すると表示窓１４を通して１リール当たり３個の図柄が外部に表示される。スロットマシン１０では、各リールが停止した時に計９個の図柄が表示され、各図柄が停止する位置を直線状に結んだ入賞ラインが横に３本、斜めに２本の合計５本設定されている。表示窓１４の右側方には液晶表示装置１６が設けられており、例えば、アニメーションを利用して当選した当選役の種類を報知するなど遊技上の様々な演出画像を表示する。
【００１６】
スロットマシン１０は、詳しくは後述するが、電子抽選による当りの当選確率が異なる６種類の抽選テーブルを有しており、いずれか１つの抽選テーブルを使用して遊技が実行される。当りの当選確率が高い抽選テーブルが使用されると、遊技に使用されるメダルの数に対し、払い出されるメダルの数の割合であるペイアウト率が高くなり、遊技者に利益を付与する確率が高くなる。周知のように、各抽選テーブルは、当りの当選確率が６段階に分けられ、６種類の設定値と対応している。この設定値は設定１〜６で構成されており、設定１→設定２→設定３→設定４→設定５→設定６と設定値が高い順に当りの当選確率が高く、ペイアウト率が高い。
【００１７】
表示窓１４の下方には、数字や特定のアルファベットを表示する表示装置１７が設けられている。表示装置１７は、通常モードよりも遊技者に利益が付与される確率が高くなるビックボーナス（ＢＢ）モード中における遊技の回数などが表示される。
【００１８】
下部扉１２ｂには、遊技の開始時に操作され、メダルが１枚づつ投入される１ベットボタン１８、メダルの上限の投入枚数である３枚が一度に投入されるＭＡＸベットボタン１９が設けられている。また、クレジットされているメダルを払い出すためのペイアウトボタン２０、遊技を行う際にメダルを投入するためのメダル投入口２１、第１リール１５ａ〜第３リール１５ｃの回転の開始及び設定値の選択時に選択した設定値を確定する際に操作されるスタートレバー２２、回転するリールをそれぞれ停止させるための第１ストップボタン２３〜第３ストップボタン２５などが設けられている。また、下部扉１２ｂにはメダル受け皿２６が設けられており、このメダル受け皿２６には、入賞が得られたときに得られるメダルが払い出し口２７から払い出される。
【００１９】
下部扉１２ｂの前面の側方にはドアキーシリンダ２８が設けられている。ドアキーシリンダ２８に専用の鍵であるドアキーを差し込んで回転させると下部扉１２ｂの施錠が解除され、下部扉１２ｂを回動することが可能になる。下部扉１２ｂを開放すると、これが検知され、メダルの投入は受け付けられなくなるとともに、メダルが投入してある状態でも遊技を行うことは不可能となる。また、下部扉１２ｂを回動させ、収納箱１１の前面下側部分を開放すると、収納箱１１と上部扉１２ａとの係合を解除することができ、上部扉１２ａを回動させることが可能になる。
【００２０】
図２に示すように、スロットマシン１０の内部には、６段階の設定値を選択する際に操作される設定選択操作部３５が設けられている。設定選択操作部３５は、閉じられた状態の下部扉１２ｂの背後に設けられており、下部扉１２ｂを回動させると外部に露呈される。
【００２１】
図３に示すように、設定選択操作部３５の前面には、設定値の選択時に予め操作される設定選択キーシリンダ３６と、スロットマシン１０の電源のオン／オフを切り替える電源スイッチ３７と、設定値を選択する設定値選択ボタン３８と、設定値の選択時に設定値を表示する設定値表示器３９が着脱自在に装着される表示器装着穴（表示器装着手段）４０が設けられている。
【００２２】
設定値表示器３９は、パネル状の表示器本体３９ａと、表示器本体３９ａの後面から突出した円柱形状の装着部３９ｂとからなる。表示器本体３９ａは、その前面側に１〜６の数字を表示する７セグメント式の表示部３９ｃを有する。装着部３９ｂは、その先端側に端子部３９ｄが設けられ、表示器装着穴４０に挿入される。表示器装着穴４０は、円形状をしており、その内部には設定値表示器３９の端子部３９ｄと電気的に接続される端子部（図示なし）が設けられている。設定値表示器３９は、表示器装着穴４０に装着されることにより、設定選択操作部３５の前面で係止されるとともに、スロットマシン１０と電気的に接続される。
【００２３】
設定選択キーシリンダ３６には、設定選択キー４１が差し込まれる。設定選択キーシリンダ３６は、差し込まれた設定選択キー４１を回動する操作が行われると、オフ位置とオン位置の２つの位置間で回動する。設定選択キーシリンダ３６には、オン位置とオフ位置に回動されたことを検知するセンサが内蔵されている。
【００２４】
図４に示すように、設定値選択ボタン３８を押下すると設定値が選択される。設定値選択ボタン３８が押下されるごとに、６段階の設定値が設定１→設定２→設定３→設定４→設定５→設定６→設定１・・・の順番で一巡するように順次に選択されていく。設定値選択ボタン３８で設定値の選択が終了した後にスタートレバー２２が操作されると選択された設定値が確定する。選択した設定値が確定した後に設定選択キー４１を用いて設定選択キーシリンダ３６をオフ位置に回動させると設定値表示器３９に表示された設定値が消え、設定値の選択が終了となり、遊技を行うことが可能な状態となる。
【００２５】
図５に示すように、スロットマシン１０の作動は基本的にＣＰＵ（設定手段）６０によって管制される。ＣＰＵ６０は、メモリ６１のＲＯＭ領域に記憶された遊技プログラムを実行し、制御部６２及び電子抽選部７０，当選役決定部７１として機能する。
【００２６】
メダルセンサ６３はメダル投入口２１から投入されたメダルを検知し、メダルの検知信号をＣＰＵ６０に入力する。ＣＰＵ６０は、メダルセンサ６３からの検知信号に基づいてメダルの枚数を計数する。ＣＰＵ６０は、１ベットボタン１８又はＭＡＸベットボタン１９が操作されると、投入された１枚又は３枚のメダルを消費して、入賞有効ラインの有効化本数を決定する。なお、遊技を行うには、メダル投入口に実際にメダルを投入することの他に、予めクレジットされたメダルを使用することもできる。
【００２７】
スタート信号センサ６４は、スタートレバー２２が操作されたときにスタート信号をＣＰＵ６０に入力する。ストップボタンセンサ６６ａ〜６６ｃは、第１ストップボタン２３〜第３ストップボタン２５が操作されたときにＣＰＵ６０にリールごとのストップ信号を入力する。リール駆動部６５は、スタート信号に応答してＣＰＵ６０から出力されるリール始動信号により、第１リール１５ａ〜第３リール１５ｃを回転させる。また、ストップ信号に応答してＣＰＵ６０から出力されるリール停止信号により、第１リール１５ａ〜第３リール１５ｃをそれぞれ停止させる。
【００２８】
電子抽選部７０は、スタート信号を受けて乱数値のサンプリングを行い、遊技が開始されるごとに１つの乱数値を抽選する。抽選された乱数値は当選役決定部７１に入力される。当選役決定部７１は、入力された値に応じて現在実行された遊技でどのような当選役を与えるかを決定する。ＣＰＵ６０は、決定した当選役が入賞有効ライン上で揃うと、入賞が成立したと判断し、当選役の種類に応じて規定枚数のメダルをホッパー装置６７に払い出させるか、あるいはクレジットカウンタにその規定枚数を加算してメダルをクレジットする。
【００２９】
当選役決定部７１には、電子抽選部７０で発生する全乱数値を、複数の数値範囲にグループ分けし、それぞれのグループに当選役を割り当てた複数の抽選テーブルが用意されている。抽選テーブルは設定値の種類に応じて、第１抽選テーブル７３ａ〜第６抽選テーブル７３ｆの６種類がある。各抽選テーブルには、周知のビッグボーナスモード，レギュラーボーナスモード、アシストタイムモード等のように多数のメダルを獲得できるボーナス遊技に移行する特賞役、所定枚数のメダルが払い出される小役、メダルを投入することなく同じ入賞有効ライン本数で次回の遊技を行う権利が得られるリプレイ役などの当選役、及びハズレが割り当てられている。各抽選テーブルは、電子抽選部７０によってサンプリングされた乱数値が各当選役又はハズレのいずれのグループに属しているかの判定に使用される。
【００３０】
第１抽選テーブル７３ａ〜第６抽選テーブル７３ｆは、例えばボーナス遊技に移行する確率が互いに異なり、小役の当選確率は全ての抽選テーブルで等しくなるように乱数値がグループ分けされている。ボーナス遊技に移行するための条件としては、例えば、特賞役に直接当選した時、特定の小役が連続して所定回数だけ当選した時、ハズレが連続して所定回数だけ抽選された時、所定回数の遊技を行った時等がある。スロットマシン１０では、遊技者に有利な遊技状態となるボーナス遊技に移行する確率が、各抽選テーブルにおける当りの当選確率を表し、どの抽選テーブルを使用して遊技が実行されるかによりペイアウト率が変わる。
【００３１】
第１抽選テーブル７３ａ〜第６抽選テーブル７３ｆは、第１抽選テーブル７３ａが「１」の設定値に対応して最もペイアウト率が低く、第６抽選テーブル７３ｆが「６」の設定値に対応して最もペイアウト率が高い。第２抽選テーブル７３ｂ〜第５抽選テーブル７３ｅは、当りの当選確率が第１抽選テーブル７３ａと第６抽選テーブル７３ｆの間の数値であり、高い設定値に対応した抽選テーブルほどペイアウト率が高い。スロットマシン１０は、設定１が選択されたときには第１抽選テーブル７３ａ、設定値２が選択されたときには第２抽選テーブル７３ｂ、設定値３が抽選されたときには第３抽選テーブル７３ｃ、設定値４が選択されたときには第４抽選テーブル７３ｄ、設定値５が選択されたときには第５抽選テーブル７３ｅ、設定値６が選択されたときには第６抽選テーブル７３ｆを使用して遊技が実行される。
【００３２】
表示器検知部（表示器検知手段）７５は、表示器装着穴４０に設定値表示器３９が装着された際、装着部３９ｂの先端側の端子部３９ｄと表示器装着穴４０の内部に設けられた端子部とが電気的に接続されることにより、設定値表示器３９が表示器装着穴４０に装着されたことを検知する。表示器検知部７５は、設定値表示器３９の装着が検知されている場合には、ローレベルの表示器検知信号をＣＰＵ６０に送り、設定値表示器３９の装着が検知されていない場合には、ＣＰＵ６０にハイレベルの表示器非検知信号を送る。
【００３３】
ＣＰＵ６０は、設定選択キーシリンダ３６がオン位置に回動されたこと示す検知信号と、表示器検知部７５からの表示器検知信号とが入力されたことを条件に、設定値信号を設定値表示器３９に送る。設定値信号は、当選役決定部７１において設定されている抽選テーブルの種類に対応するものとなっており、設定値信号を受けた設定値表示器３９は表示部３９ｃに設定値を表示する。
【００３４】
次に本発明の作用について説明する。図６において、スロットマシン１０の設定値を選択する際には、下部扉１２ｂのドアキーシリンダ２８にドアキーを差し込み、下部扉１２ｂの施錠を解除する。下部扉１２ｂを開放すると、スロットマシン１０の内部の設定選択操作部３５が外部に露呈される。また、ＣＰＵ６０は、下部扉１２ｂの開放に応答して、メダル投入口２１からのメダルの投入をキャンセルし、スタートレバー２２の操作による第1リール１５ａ〜第３リール１５ｃの回転開始を受け付けない遊技禁止状態へ移行する。
【００３５】
電源スイッチ３７をオンにした状態で、設定選択キーシリンダ３６に設定選択キー４１を差し込み、設定選択キーシリンダ３６をオン位置に回動する。設定選択キーシリンダ３６は、オン位置に回動されたことを示す検知信号をＣＰＵ６０に送る。また、表示器装着穴４０に設定値表示器３９の装着部３９ｂを差し込み、設定値表示器３９を設定選択操作部３５の前面に装着する。設定値表示器３９が装着されると、装着部３９ｂの先端側に設けられた端子部３６ｄが表示器装着穴４０の内部に設けられた端子部と電気的に接続され、表示器検知部７５によって設定値表示器３９が装着されたことが検知される。表示器検知部７５は、ＣＰＵ６０に表示器検知信号を送る。
【００３６】
ＣＰＵは、設定選択キーシリンダ３６がオン位置へ回動されたことを示す検知信号と、表示器検知部７５からの表示器検知信号を受け、メモリ６１に記憶された設定値を読み出し、設定値表示器３９に設定値信号を送る。また、設定値選択ボタン３８を有効化し、設定値選択ボタン３８の操作による設定値の選択を受け付ける状態に移行する。設定値表示器３９の表示部３９ｃには、スロットマシン１０の現在の設定値が表示される。
【００３７】
設定値表示器３９によって設定値が表示された状態で設定値選択ボタン３８を押下すると、設定値選択ボタン３８が１回押下されるごとに、ＣＰＵ６０は設定値表示器３９に現在の設定値よりも高い設定値に対応する設定値信号を送り、設定値表示器３９に表示されている設定値が切り替わる。なお、設定値表示器３９が装着されない状態、すなわち表示器検知部７５によって設定値表示器３９の装着が検知されていない状態で設定値選択ボタン３８を押下すると、前面扉１２に設けられた液晶表示装置１６に警告メッセージ等が表示されるとともに、スロットマシン１０に設けられたスピーカから警告音が発せられ、設定値表示器３９を装着せずに設定値を選択しようとしたことが報知される。警告メッセージや警告音による報知は、設定値表示器３９の装着が検知された時点で停止する。
【００３８】
設定値選択ボタン３８の押下によって任意の設定値を選択し、スタートレバー２２を操作すると、選択された設定値が確定する。すなわち、メモリ６１に記憶された遊技に使用する抽選テーブルを指定するためのパラメータがＣＰＵ６０により書き換えられる。なお、選択された設定値を確定する前に、設定選択キーシリンダ３６から設定選択キー４１が引き抜かれた場合にはエラーの報知を行ってもよい。あるいは、エラーを報知するかわりに、設定値の選択操作をリセットし、設定選択キー４１を差し込む時点から設定値の選択操作を単にやり直させるようにしてもよい。
【００３９】
このようにして設定値の選択が終了すると、設定選択キーシリンダ３６をオフ位置に回動し、設定選択キー４１を引き抜く。設定選択キーシリンダ３６がオフ位置に回動すると、ＣＰＵ６０は、設定値表示器３９に表示された設定値をオフする信号を送る。表示部３９ｃに表示された設定値は消え、設定値表示器３９は取り外せる状態となる。設定値表示器３９を取り外すと、表示器検知部７５により設定値表示器３９が検知されなくなり、表示器検知部７５はＣＰＵ６０に表示器非検知信号を送る。
【００４０】
下部扉１２ｂを閉め、キーシリンダ２８によって下部扉１２ｂを施錠すると、これが検知され、スロットマシン１０は遊技可能な状態へ移行する。なお、下部扉１２ｂが施錠された際、表示器装着穴４０に設定値表示器３９が装着されたままになっていると、液晶表示装置１６に設定値表示器３９を取り外すことを忘れていることを示す警告メッセージが表示される。
【００４１】
メダル投入口２１にメダルを投入し、スタートレバー２２を操作すると、電子抽選部７０による乱数のサンプリングと、当選役決定部７１による当選役の決定が行われる。当選役決定部７１は、選択された設定値に対応した抽選テーブルを使用して当選役を決定する。また、リール駆動部６５は、第１リール１５ａ〜第３リール１５ｃを回転させる。第１ストップボタン２３〜第３ストップボタン２５がそれぞれ押下されると、リール駆動部６５は、当選役決定部７１で決定された当選役又はハズレが成立するように第１リール１５ａ〜第３リール１５ｃを停止させる。
【００４２】
有利な遊技が行えるようにスロットマシン１０の設定値を変更しようとする不正行為者は、例えば、複製したドアキーや特殊な器具を使用して下部扉１２ｂを開放し、設定選択キーシリンダ３６をオン位置に回動しても、設定値表示器３９が外されているため、設定値を確認することができず、また、設定値選択ボタン３８を押下して設定値を変更することができない。一方、設定値表示器を管理する遊技場の従業員等は、スロットマシン１０の設定値を確認する時、あるいは設定値を変更する時に設定値表示器３９を携帯し、下部扉１２ｂを開放し、設定選択キーシリンダ３６をオン位置に回動し、設定値表示器３９を表示器装着穴４０に差し込むことで設定値表示器３９に表示される設定値を確認でき、設定値を変更することができる。
【００４３】
なお、本発明は上記実施形態に限られるものではなく、適宜の変更が可能である。例えば、設定値表示器３９は、スロットマシン１０の内部に設けられた設定選択操作部３５の前面に装着する以外にも、スロットマシン１０の外側の上面又は側面、前面扉１２の正面又は背面等に装着できるようにしてもよい。設定値表示器３９の装着部３９ｂと表示器装着穴４０の形状を円柱形や円形以外の他の形状にしてもよい。
【００４４】
スロットマシン１０は、設定値表示器３９が装着されていない状態で設定値選択ボタン３８を押下した場合、ＣＰＵ６０によって設定値選択ボタン３８の操作を無効化する電気的な処理によって設定値の選択を禁止しているが、設定選択キーシリンダ３６や設定値選択ボタン３８をロックするロック機構を設け、設定選択キーシリンダ３６や設定値選択ボタン３８を固定して物理的に操作が行えないようにしてもよい。また、設定値表示器３９に暗号コードを記憶する記憶手段を設け、設定値表示器３９の装着時に暗号コードをＣＰＵ６０に読取らせてこれを照合し、暗号コードが合致した時のみに設定値の表示や設定値の選択が許容され、暗号コードが合致しないときには設定値の表示や設定値の選択が禁止されるようにしてもよい。
【００４５】
設定値表示器３９は、７セグメント式の発光表示器を用いることに限らず、ドットマトリクス式の液晶表示器や、設定値の種類に対応した数のランプ（ＬＥＤ等）を有し設定値に対応して発光するランプの数が変化する表示器等を用いてもよい。また、本発明は、パチスロ機のようなスロットマシンに限られず、当りの当選確率を変更できる遊技機であれば、パチンコ機等の他の遊技機に適用することができる。
【図面の簡単な説明】
【００４６】
【図１】スロットマシンの外観を示す斜視図である。
【図２】下部扉を開放したスロットマシンの斜視図である。
【図３】設定選択操作部の斜視図である。
【図４】設定値の選択時の様子を示す説明図である。
【図５】スロットマシンの電気的な構成を示すブロック図である。
【図６】設定値の選択時の処理の流れを示すフローチャートである。
【符号の説明】
【００４７】
１０  スロットマシン（遊技機）
１６  液晶表示装置
３５  設定選択操作部
３８  設定値選択ボタン
３９  設定値表示器
３９ｂ  装着部
３９ｃ  表示部
４０  表示器装着穴（表示器装着手段）
６０  ＣＰＵ（設定手段）
７０  電子抽選部
７１  当選役決定部
７３ａ  第１抽選テーブル
７３ｂ  第２抽選テーブル
７３ｃ  第３抽選テーブル
７３ｄ  第４抽選テーブル
７３ｅ  第５抽選テーブル
７３ｆ  第６抽選テーブル
７５  表示器検知部（表示器検知手段）
【図１】
2006191998.tif 000003
【図２】
2006191998.tif 000004
【図３】
2006191998.tif 000005
【図４】
2006191998.tif 000006
【図５】
2006191998.tif 000007
【図６】
2006191998.tif 000008